(57)【要約】【課題】  デジタル放送を録画し、再生する録画再生機において、録画した番組を再生する際の再生速度を適切に制御し、視聴者にとって効率の良い再生を実現すること。【解決手段】  録画再生機１では、地上波デジタルテレビ放送の番組を録画する際、映像データ６２及び音声データ６３とともに、放送経過時間とシーン内容を表すメタデータとを対応付けた内容データ６４を１つの録画番組データ６１としてＨＤＤ６０に記憶（記録）する。そして、録画番組を再生する際には、内容データ６４に記憶されているメタデータが表すシーンの内、キーワードと再生速度とを対応付けた再生速度データ４４に格納されているキーワードを含むシーンについては、該キーワードに対応付けられている再生速度で再生する。【選択図】図１
2005244404.tif 000002
【特許請求の範囲】
【請求項１】
デジタルテレビ放送を受信する受信手段と、
この受信手段により受信されたデジタルテレビ放送に含まれる選局番組の映像及び音声を記録する番組記録手段と、
前記受信手段により受信されたデジタルテレビ放送に含まれる前記選局番組のメタデータを当該選局番組の放送経過時間と対応付けて記録するメタデータ記録手段と、
キーワードと再生速度とを対応付けた再生速度データを記憶する速度データ記憶手段と、
前記番組記録手段に記録された映像及び音声を再生して出力する再生出力手段と、
前記メタデータ記録手段に記録されたメタデータの内、前記再生速度データ中のキーワードを含むデータに対応する放送経過時間と、前記再生速度データにおいて該キーワードに対応付けられている再生速度とに基づいて、前記再生出力手段の再生速度を制御する再生速度制御手段と、
を備えることを特徴とする録画再生機。
【請求項２】
前記速度データ記憶手段は、複数種類の前記再生速度データを記憶する手段であり、
前記速度データ記憶手段に記憶された複数種類の再生速度データの内から一の再生速度データを選択する選択手段を更に備え、
前記再生速度制御手段は、前記選択手段により選択された再生速度データを用いて前記再生速度の制御を行う手段である、
ことを特徴とする請求項１に記載の録画再生機。
【請求項３】
前記速度データ記憶手段に記憶された再生速度データの内容を変更する変更手段を更に備えることを特徴とする請求項１又は２に記載の録画再生機。
【請求項４】
デジタルテレビ放送を受信する受信手段と、コンピュータと、を備える装置の該コンピュータに、
前記受信手段により受信されたデジタルテレビ放送に含まれる選局番組の映像及び音声を記録する番組記録機能と、
前記受信手段により受信されたデジタルテレビ放送に含まれる前記選局番組のメタデータを当該選局番組の放送経過時間と対応付けて記録するメタデータ記録機能と、
キーワードと再生速度とを対応付けた再生速度データを記憶する速度データ記憶機能と、
前記番組記録機能によって記録された映像及び音声を再生して出力する再生出力機能と、
前記メタデータ記録機能によって記録されたメタデータの内、前記再生速度データ中のキーワードを含むデータに対応する放送経過時間と、前記再生速度データにおいて該キーワードに対応付けられている再生速度とに基づいて、前記再生出力機能による再生速度を制御する再生速度制御機能と、
を実現させるためのプログラム。
【発明の詳細な説明】
【技術分野】
【０００１】
本発明は、録画再生機及びプログラムに関する。
【背景技術】
【０００２】
現在、デジタルテレビ放送では、ＢＳ（Broadcasting Satellite）を用いたＢＳデジタルテレビ放送や、ＣＳ（Communication Satellite）を用いたＣＳデジタルテレビ放送が普及している。また、地上波デジタルテレビ放送が２００３年１２月より開始され、地上波アナログテレビ放送から地上波デジタルテレビ放送への移行段階にある。地上波デジタルテレビ放送では、変調方式としてＯＦＤＭ（Orthogonal Frequency Division Multiplexing：直交周波数分割多重化方式）方式が用いられ、複数の電波（具体的には、映像や音声、データ放送等）が多重化されて送信されている。
【０００３】
そして、デジタル放送を録画し、再生する録画再生機として、録画した番組を再生する際に再生速度を自動的に変化させるものが知られている。例えば特許文献１には、記録（録画）した番組を再生する際の再生速度を、再生した音声レベルに応じて動的に制御するデジタル放送受信装置が開示されている。かかる装置では、音声レベルが高いシーンではスロー（低速）で再生し、音声レベルが低いシーンでは通常の速度で再生する。或いは、音声レベルが高いシーンでは、通常の速度で再生し、音声レベルが低いシーンでは高速で再生している。
【特許文献１】特開２００２−０１６８５８号公報
【発明の開示】
【発明が解決しようとする課題】
【０００４】
しかしながら、番組中の各シーンの重要度と音声レベルとは必ずしも一致しない。即ち、特許文献１に開示されているデジタル放送受信装置のように、音声レベルの高低に応じて再生速度を変化させる場合、スポーツ中継の番組の再生では、得点シーン等では観客の歓声等で音声レベルが大きくなることが多いので有効ではあるが、音声レベルが大きいシーンが得点シーンであるとは限らないし、他の番組に適用する場合には必ずしも有効でない。また、番組中の“重要”なシーンとは視聴者個々によって異なるものである。
【０００５】
上記事情に鑑み、本発明は、デジタル放送を録画し、再生する録画再生機において、録画した番組を再生する際の再生速度を適切に制御し、視聴者にとって効率の良い再生を実現することを目的としている。
【課題を解決するための手段】
【０００６】
上記課題を解決するために、請求項１に記載の発明は、
デジタルテレビ放送を受信する受信手段（例えば、図１のテレビ部１０）と、
この受信手段により受信されたデジタルテレビ放送に含まれる選局番組の映像及び音声を記録する番組記録手段（例えば、図１のＨＤＤ６０に記憶される録画番組データ６１）と、
前記受信手段により受信されたデジタルテレビ放送に含まれる前記選局番組のメタデータを当該選局番組の放送経過時間と対応付けて記録するメタデータ記録手段（例えば、図１のＨＤＤ６０に記憶される内容データ６４）と、
キーワードと再生速度とを対応付けた再生速度データを記憶する速度データ記憶手段（例えば、図１のＲＯＭ４０又はＨＤＤ６０に記憶される再生速度データ４４）と、
前記番組記録手段に記録された映像及び音声を再生して出力する再生出力手段（例えば、図１の音声出力部２４）と、
前記メタデータ記録手段に記録されたメタデータの内、前記再生速度データ中のキーワードを含むデータに対応する放送経過時間と、前記再生速度データにおいて該キーワードに対応付けられている再生速度とに基づいて、前記再生出力手段の再生速度を制御する再生速度制御手段（例えば、図１のＣＰＵ３０）と、
を備えることを特徴とする録画再生機（例えば、図１の録画再生機１）である。
【０００７】
また、請求項４に記載の発明は、
デジタルテレビ放送を受信する受信手段（例えば、図１のテレビ部１０）と、コンピュータと、を備える装置の該コンピュータに、
前記受信手段により受信されたデジタルテレビ放送に含まれる選局番組の映像及び音声を記録する番組記録機能（例えば、図５のステップＳ１）と、
前記受信手段により受信されたデジタルテレビ放送に含まれる前記選局番組のメタデータを当該選局番組の放送経過時間と対応付けて記録するメタデータ記録機能（例えば、図５のステップＳ１）と、
キーワードと再生速度とを対応付けた再生速度データを記憶する速度データ記憶機能と、
前記番組記録機能によって記録された映像及び音声を再生して出力する再生出力機能（例えば、図５のステップＳ５）と、
前記メタデータ記録機能によって記録されたメタデータの内、前記再生速度データ中のキーワードを含むデータに対応する放送経過時間と、前記再生速度データにおいて該キーワードに対応付けられている再生速度とに基づいて、前記再生出力機能による再生速度を制御する再生速度制御機能（例えば、図５のステップＳ５；図６のステップＳ５８〜Ｓ６２）と、
を実現させるためのプログラムである。
【０００８】
この請求項１又は４に記載の発明によれば、デジタルテレビ放送を受信し、受信したデジタルテレビ放送に含まれる選局番組の映像及び音声を記録するとともに、この受信したデジタルテレビ放送に含まれる選局番組のメタデータを放送経過時間と対応付けて記録することができる。そして、記録されている映像及び音声を再生する際には、記録したメタデータの内、記憶している再生速度データ中のキーワードを含むデータに対応する放送経過時間と、再生速度データにおいてこのキーワードに対応付けられている再生速度とに基づいて、再生速度を制御することができる。
【０００９】
ここで、「メタデータ」とは、デジタル放送において、映像信号及び音声信号とともに多重化されてくる信号の１つであり、番組の属性や識別ＩＤ、詳細な内容等、番組に関連する様々な情報を含む番組を補完するデータである。また、このメタデータは、通常、テキストデータの形態を取る。
【００１０】
従って、記録した映像及び音声の再生の際、例えば現在の再生位置に該当する放送時間と対応付けて記録されているメタデータが表す番組の内容に、再生速度データ中のキーワードがあるかを判定し、ある場合には、該キーワードに対応付けられている再生速度で再生させるといったことが可能となる。即ち、番組の内容の変化に応じて再生速度を変更させることが可能となる。そして、再生速度データにおいて、例えば視聴者がより視聴したいと思うであろうキーワードについては再生速度を遅く設定し、一方、あまり視聴を望まないであろうキーワードについては再生速度を速く設定することで、視聴者にとってより効率の良い再生が可能となる。
【００１１】
また、請求項２に記載の発明は、請求項１に記載の録画再生機において、
前記速度データ記憶手段は、複数種類の前記再生速度データを記憶する手段であり、
前記速度データ記憶手段に記憶された複数種類の再生速度データの内から一の再生速度データを選択する選択手段（例えば、図１のＣＰＵ３０）を更に備え、
前記再生速度制御手段は、前記選択手段により選択された再生速度データを用いて前記再生速度の制御を行う手段である、
ことを特徴としている。
【００１２】
この請求項２に記載の発明によれば、請求項１に記載の発明と同様の効果を奏するとともに、複数種類の再生速度データを記憶しておき、これら複数種類の再生速度データの内から一の再生速度データを選択し、選択した再生速度データを用いて再生速度の制御を行うことができる。従って、例えば番組の種類毎に該番組で重要だと思われるキーワードを含む再生速度データを記憶しておき、選択番組の種類に該当する再生速度データを選択することで、再生速度の制御を効率良く行うことが可能となる。
【００１３】
また、請求項３に記載の発明は、請求項１又は２に記載の録画再生機において、
前記速度データ記憶手段に記憶された再生速度データの内容を変更する変更手段（例えば、図１のＣＰＵ３０）を更に備えることを特徴としている。
【００１４】
この請求項３に記載の発明によれば、請求項１又は２に記載の発明と同様の効果を奏するとともに、再生速度データの内容を変更することができる。従って、例えば視聴者の操作入力に従って再生速度データの内容を変更することとすれば、個々の視聴者の嗜好に合わせた再生速度での再生が可能となり、視聴者にとってより効率の良い再生が可能となる。
【発明の効果】
【００１５】
請求項１又は４に記載の発明によれば、デジタルテレビ放送を受信し、受信したデジタルテレビ放送に含まれる選局番組の映像及び音声を記録するとともに、この受信したデジタルテレビ放送に含まれる選局番組のメタデータを放送経過時間と対応付けて記録することができる。そして、記録されている映像及び音声を再生する際には、記録したメタデータの内、記憶している再生速度データ中のキーワードを含むデータに対応する放送経過時間と、再生速度データにおいてこのキーワードに対応付けられている再生速度とに基づいて、再生速度を制御することができる。
【００１６】
従って、例えば現在の再生位置に該当する放送時間と対応付けて記録されているメタデータが表す番組の内容に、再生速度データ中のキーワードがあるかを判定し、ある場合には、該キーワードに対応付けられている再生速度で再生させるといったことが可能となる。即ち、番組の内容の変化に応じて再生速度を変更させることが可能となる。そして、再生速度データにおいて、例えば視聴者がより視聴したいと思うであろうキーワードについては再生速度を遅く設定し、一方、あまり視聴を望まないであろうキーワードについては再生速度を速く設定することで、視聴者にとってより効率の良い再生が可能となる。
【００１７】
また、請求項２に記載の発明によれば、複数種類の再生速度データを記憶しておき、これら複数種類の再生速度データの内から一の再生速度データを選択し、選択した再生速度データを用いて再生速度の制御を行うことができる。従って、例えば番組の種類毎に該番組で重要だと思われるキーワードを含む再生速度データを記憶しておき、選択番組の種類に該当する再生速度データを選択することで、再生速度の制御を効率良く行うことが可能となる。
【００１８】
また、請求項３に記載の発明によれば、再生速度データの内容を変更することができる。従って、例えば視聴者の操作入力に従って再生速度データの内容を変更することとすれば、個々の視聴者の嗜好に合わせた再生速度での再生が可能となり、視聴者にとってより効率の良い再生が可能となる。
【発明を実施するための最良の形態】
【００１９】
以下、図面を参照して、本発明を実施するための最良の形態を説明する。
以下では、本発明を、地上波デジタルテレビ放送を受信する録画再生機に適用した場合について説明するが、本発明の適用がこれに限定されるものではない。
【００２０】
［構成］
先ず、構成を説明する。
図１は、本実施形態における録画再生機１の回路構成を示すブロック図である。同図によれば、録画再生機１は、テレビ部１０と、映像表示部２２と、音声出力部２４と、ＣＰＵ（Central Processing Unit）３０と、ＲＯＭ（Read Only Memory）４０と、ＲＡＭ（Random Access Memory）５０と、ＨＤＤ（Hard Disk Drive）６０と、外部インターフェース部７２と、ユーザインターフェース部７４と、を備えて構成される。
【００２１】
テレビ部１０は、地上波デジタルテレビ放送を受信するための回路ブロックであり、アンテナ１１と、チューナ部１２と、ＯＦＤＭ（Orthogonal Frequency Division Multiplexing：直交周波数分割多重）復調部１３と、デコーダ部１４と、を含む。
【００２２】
チューナ部１２は、アンテナ１１と同調を図ることで、ユーザによって指定されたチャンネル（放送局）に対応する周波数のＯＦＤＭ信号（変調信号）を受信する。
【００２３】
ＯＦＤＭ復調部１３は、チューナ部１２から入力されたＯＦＤＭ信号を復調する。具体的には、入力されたＯＦＤＭ信号をＡＤ（Analog to Digital：アナログ・デジタル）変換してデジタル信号に変換した後、同期処理、ＦＦＴ（Fast Fourier Transform：高速フーリエ変換）演算、誤り訂正処理等を実行することで、ＴＳ（Transport Stream：トランスポート・ストリーム）を抽出する。
【００２４】
デコーダ部１４は、ＯＦＤＭ復調部１３から入力されたＴＳから映像信号、音声信号及びデータ信号を分離し、分離した音声信号を復号（デコード）して音声出力部２４に出力し、映像信号を復号（デコード）して映像表示部２２に出力し、データ信号をＣＰＵ３０に出力する。また、番組の録画時には、分離・復号した各信号（映像信号、音声信号及びデータ信号）をＣＰＵ３０に出力する。尚、音声信号及び映像信号はＭＰＥＧ（Moving Picture experts Group）等の公知の符号化方式で符号化されており、デコーダ部１４は、映像信号及び音声信号をそれぞれの符号化方式に対応する方式で復号する。
【００２５】
映像表示部２２は、例えばＬＣＤやＰＤＰ、ＥＬＤ、ＣＲＴ等で構成され、デコーダ部１４から入力された映像信号に基づいた地上波デジタルテレビ放送の映像等を表示する。また、録画番組の再生時には、ＨＤＤ６０から読み出された録画番組データ６１に含まれる映像データ６２に基づいた映像を表示する。
【００２６】
音声出力部２４は、例えばスピーカ等で構成され、デコーダ部１４から入力された音声信号に基づいた地上波デジタルテレビ放送の音声等を出力する。また、録画番組の再生時には、ＨＤＤ６０から読み出された録画番組データ６１の音声データ６３に基づく音声信号を出力する。
【００２７】
尚、録画再生機１は、映像表示部２２及び音声出力部２４を備えないこととしても良い。この場合には、録画再生機１を、映像信号及び音声信号を伝送可能なケーブルでＴＶ等の映像表示装置及び音声出力装置と接続し、デコーダ部１４で分離・復号した映像音声及び音声信号を、このケーブルを介して出力する。
【００２８】
ところで、地上波デジタルテレビ放送等のデジタル放送では、図２に示すように、映像信号ｆ１や音声信号ｆ２、字幕・文字スーパー信号ｆ３、データ信号ｆ４等の複数の信号が多重化して送信されている。データ信号ｆ４には、データ放送（番組連動型又は独立型）を提供するための文字データｄ１や図形データｄ２、静止画データ、動画データ等の他、番組情報（ＥＰＧ情報）ｄ３、メタデータｄ４等が含まれる。メタデータｄ４とは、番組の属性や識別ＩＤ、詳細な内容等、番組に関連する様々な情報を含む番組を補完するデータであり、テキストデータの形態を取る。本実施形態では、このメタデータｄ４を用いて、録画番組の再生時の再生速度を制御する。
【００２９】
図１において、ＣＰＵ３０は、所定のタイミング或いはユーザインターフェース部７４から入力された入力信号等に応じて、ＲＯＭ４０内に格納された各種プログラムを読み出してＲＡＭ５０内に展開し、当該プログラムに基づいて録画再生機１内の各部への指示やデータの転送等を行う。特に、本実施形態では、受信した地上波デジタル放送の番組を録画する録画処理、録画番組を再生する再生処理、再生速度データを更新する再生速度データ更新処理を行う。
【００３０】
録画処理では、ＣＰＵ３０は、視聴者によって選択された番組（選択番組）を録画する。ここで、番組の“録画”とは、受信された地上波デジタルテレビ放送の映像及び音声を記憶（記録）することである。即ち、ＣＰＵ３０は、選択番組の放送時間の間、デコーダ部１４から入力された映像信号に基づく映像データ６２、音声信号に基づく音声データ６３、及び、データ信号に基づく内容データ６４を合わせて１つの録画番組データ６１としてＨＤＤ６０に蓄積記憶させる。
【００３１】
内容データ６４とは、番組の詳細な内容を時間経過に従って記述したデータである。図３に、内容データ６４のデータ構成の一例を示す。同図は、番組の種類が“サッカー中継”の場合を示している。同図によれば、内容データ６４には、放送経過時間６４ａと、シーン内容６４ｂと、が対応付けて格納される。放送経過時間６４ａは、番組先頭からの経過時間であり、番組先頭を「０：００：００（０時０分０秒）」とした時分秒で表現されている。また、シーン内容６４ｂは、番組を構成する各シーンの内容を表したテキストデータである。
【００３２】
ＣＰＵ３０は、番組の録画中、随時、入力されたデータ信号に含まれるメタデータから現在放送中のシーンの内容を説明しているデータを抽出し、番組先頭からの放送経過時間と対応付けて順次格納していくことで、該番組の内容データ６４を作成する。
【００３３】
また、再生処理では、ＣＰＵ３０は、視聴者によって選択された録画番組を再生する。ここで、録画番組の“再生”とは、記憶された映像及び音声を出力することである。即ち、ＣＰＵ３０は、ＨＤＤ６０に記憶されている録画番組データ６１の内、視聴者によって選択された録画番組の録画番組データ６１に含まれる映像データ６２に基づく映像を映像表示部２２に表示させ、音声データ６３に基づく音声を音声出力部２４から出力させる。それとともに、内容データ６４を参照し、再生する番組の種類に対応する再生速度データ４４に従って再生速度を変更する。
【００３４】
再生速度データ４４とは、再生速度の変更の基準を示すデータである。再生速度データ４４は、“ニュース”や“ドラマ”、“歌番組”、“スポーツ中継”といった番組の種類毎に用意される。図４に、再生速度データ４４のデータ構成の一例を示す。同図は、番組の種類が“サッカー中継”の場合を示している。同図によれば、再生速度データ４４には、キーワード４４ａに、再生速度４４ｂと、速度適用範囲４４ｃと、速度適用時間４４ｄと、が対応付けて格納されている。
【００３５】
キーワード４４ａは、再生速度の変更のキーとなる語句であり、該当する番組の種類に応じて、番組中で重要と思われる語句が設定される。同図では、番組の種類が“サッカー中継”であるので、主に、「シュート」や「ゴール」、「キックオフ」といったサッカーに関連する語句が設定されている。
【００３６】
再生速度４４ｂは、変更する再生速度であり、通常の再生速度に対する倍速で表現されている。また、この再生速度４４ｂは、キーワード４４ａの重要度に応じて設定されている。“重要度”とは、視聴者がより視聴したいと思うであろう度合（程度）を表し、重要度が高い、即ち視聴者がより視聴したいであろうキーワード４４ａについては、再生速度４４ｂが遅く設定され、重要度が低い、即ち視聴者があまり視聴を望まないであろうキーワード４４ａについては再生速度４４ｂが速く設定されている。例えば同図では、試合前（「キックオフ」前）や「ＣＭ」中、「試合終了」後は、重要度が低い、即ち視聴者が視聴したいと思うであろう程度が低いとみなして、再生速度４４ｂが速く（倍速が大きく）設定されている。
【００３７】
速度適用範囲４４ｃは、再生速度４４ｂを適用する範囲（即ち、再生速度を変更する範囲）であり、対応するキーワード４４ａを含むシーンを基準とした番組中の位置（シーン前／シーン後／シーン中等）で表現されている。速度適用時間４４ｄは、速度適用範囲４４ｃの時間の長さであり、時分秒で表現されている。この速度適用範囲４４ｃ及び速度適用時間４４ｄを満たす録画番組中の範囲において、対応する再生速度４４ｂが適用される。
【００３８】
ＣＰＵ３０は、録画番組の再生時、再生対象の録画番組データ６１に含まれる内容データ６４を参照し、該番組の種類に対応する再生速度データ４４に格納されているキーワード４４ａを含む各シーンについて、該シーンを基準とした対応する速度適用範囲４４ｃ及び速度適用時間４４ｄを満たす範囲を、対応する再生速度４４ｂに変更する。
【００３９】
例えば、図３に示した内容の内容データ６４の録画番組を、図４に示した再生速度データ４４に従って再生する場合、キーワード「キックオフ」を含む放送経過時間「０：１０：００」のシーンまでは、通常の再生速度の「３０倍速」で再生される。キーワード「シュート」を含む放送経過時間「０：２０：００」のシーンを中心とした前後５分間、即ち「０：１７：３０」から「０：２２：３０」の間、通常の再生速度の「１倍速」で再生される。
【００４０】
尚、再生速度データ４４には、ＲＯＭ４０に初期データとして予め記憶されている再生速度データ４４−１と、ＨＤＤ６０に蓄積記憶される再生速度データ４４−２と、がある。再生速度データ４４−２は、ＲＯＭ４０の再生速度データ４４−１の内容を変更したデータである。そして、録画番組の再生時には、再生速度データ４４−２が優先的に用いられる。即ち、先ず、ＨＤＤ６０の再生速度データ４４−２の内から再生する録画番組の種類に該当するデータが選択される。ここで、該当するデータが無い場合には、ＲＯＭ４０の再生速度データ４４−１の内から該当するデータが選択される。そして、選択された再生速度データ４４に従って再生速度が制御される。
【００４１】
また、再生速度データ変更処理では、ＣＰＵ３０は、再生速度データ４４の内容を視聴者の入力指示に従って変更する。具体的には、ＲＯＭ４０に記憶されている再生速度データ４４−１の内、視聴者によって選択された再生速度データ４４の内容を、視聴者の入力指示に従って変更し、変更後のデータを新たな再生速度データ４４−２としてＨＤＤ６０に蓄積記憶する。
【００４２】
ＲＯＭ４０は、主に、録画再生機１にかかるシステムプログラムやアプリケーションプログラム、データ等を記憶する。特に、本実施の形態では、録画／再生プログラム４１と、複数の再生速度データ４４−１と、を記憶する。
【００４３】
録画／再生プログラム４１には、本実施の形態におけるメイン処理である録画／再生処理（図５参照）を実現するためのプログラムであり、これには、再生処理（図６参照）を実現するための再生プログラム４２と、再生速度データ変更処理（図８参照）を実現するための再生速度データ変更プログラム４３と、が含まれる。
【００４４】
ＲＡＭ５０は、ＣＰＵ３０の作業領域として用いられ、ＲＯＭ４０から読み出されたプログラムやデータ、ＣＰＵ３０で処理されたデータ等を一時的に記憶する。特に、本実施形態では、再生フラグ格納領域５１と、再生アドレス格納領域５２と、再生速度格納領域５３と、再生速度データ格納領域５４と、を備えている。
【００４５】
再生フラグ格納領域５１には再生フラグの値が格納される。再生フラグとは、現在、録画番組を再生中であるか否かを示すフラグであり、再生中であれば「１」に設定され、それ以外の場合であれば「０」に設定される。
【００４６】
再生アドレス格納領域５２には再生アドレスが格納される。再生アドレスとは、再生中の録画番組の現在の再生位置を示すカウンタであり、番組先頭からの経過時間（時分秒）で表現されている。この再生アドレスは、再生の進行とともに、再生速度に応じた速さで更新される。
【００４７】
再生速度データ格納領域５４には、ＲＯＭ４０又はＨＤＤ６０から読み出された再生速度データ４４が格納される。即ち、録画番組の再生時には、再生する録画番組の種類に応じた再生速度データ４４が格納され、また、再生速度データ４４の変更時には、変更の対象となる再生速度データ４４が格納される。
【００４８】
ＨＤＤ６０には、録画番組データ６１と、再生速度データ４４−２と、が記憶される。
録画番組データ６１は、テレビ部１０で受信し、録画された地上波デジタルテレビ放送の番組に関するデータであり、映像データ６２と、音声データ６３と、内容データ６４と、を含んでいる。地上波デジタルテレビ放送の番組の録画が行われる毎に新たな録画番組データ６１が生成され、蓄積記憶される。
【００４９】
外部インターフェース部７２は、録画再生機１が外部装置と接続してデータの授受を行うためのインターフェースである。例えば、インターネット等の通信回線Ｎに接続する通信装置、ＣＤやＤＶＤ、メモリカード等の録画再生機１に着脱自在な情報記憶媒体に記憶されたデータ（情報）を読み取る読取装置等で構成される。
【００５０】
ユーザインターフェース部７４は、視聴者が録画再生機１に対する各種操作を入力するためのインターフェースである。例えば、地上波デジタルテレビ放送の録画を開始させる録画スイッチや録画番組の再生を開始させる再生スイッチ、録画／再生を停止させるための停止スイッチ、再生速度データ４４を変更するための設定スイッチ、変更した再生速度データ４４を保存（記憶）させるための保存スイッチ等を含む各種スイッチやタッチパネル、リモコン及び該リモコンに対応する受信部等で構成される。
【００５１】
［処理の流れ］
次に、処理の流れを説明する。
図５は、本実施の形態におけるメイン処理となる録画／再生処理の流れを示すフローチャートである。この処理は、録画再生機１の電源スイッチがＯＮされる等して電源投入されると実行される処理であり、ＣＰＵ３０がＲＯＭ４０の録画／再生プログラム４１を実行することで実現される。
【００５２】
図５によれば、ＣＰＵ３０は、先ず、初期化処理を行って動作環境の設定を行う（ステップＳ１）。次いで、録画処理を実行する（ステップＳ３）。
【００５３】
録画処理では、ＣＰＵ３０は、録画スイッチがＯＮされる等して録画開始が指示された場合や、タイマー機能によって設定されている録画開始時刻になった場合に、テレビ部１０を制御して視聴者によって指定されたチャンネル（放送局）に対応する地上波デジタルテレビ放送の受信を開始させる。そして、視聴者によって選択された番組（選択番組）の放送時間の間、デコーダ部１４から入力される映像信号に基づく映像データ６２及び音声信号に基づく音声データ６３を蓄積するとともに、データ信号に含まれるメタデータから現在放送中のシーンの内容を説明するデータを抽出し、番組先頭（録画開始時点）からの放送経過時間を対応付けて、該番組の内容データ６４を作成する。
【００５４】
また、停止スイッチがＯＮされる等して録画停止が指示された場合や、タイマー機能によって設定されている録画終了時刻になった場合には、ＣＰＵ３０は、テレビ部１０を制御して地上波デジタルテレビ放送の受信を停止させるとともに、録画開始から停止までに蓄積した映像データ６２及び音声データ６３を、作成した内容データ６４とともに１つの録画番組データ６１としてＨＤＤ６０に蓄積記憶させる。
【００５５】
録画処理を終了すると、ＣＰＵ３０は、続いて、再生処理を実行する（ステップＳ５）。図６は、再生処理の流れを示すフローチャートである。この再生処理は、ＣＰＵ３０がＲＯＭ４０の再生プログラム４２を実行することで実現される。
【００５６】
図６によれば、再生処理では、ＣＰＵ３０は、先ず、再生フラグを判定し、「０」に設定されているならば（ステップＳ５１：ＮＯ）、再生中でないと判断し、続いて、再生スイッチがＯＮされる等して録画番組の再生が指示されたかを判定する（ステップＳ５２）。
【００５７】
録画番組の再生が指示されないと判定したならば（ステップＳ５２：ＮＯ）、ＣＰＵ３０は、再生処理を終了して図５のステップＳ７に戻る。一方、録画番組の再生が指示されたと判定したならば（ステップＳ５２：ＹＥＳ）、所定の選択画面を映像表示部２２に表示させて、視聴者に、ＨＤＤ６０に記録（記憶）されている録画番組データ６１の録画番組の内から再生する番組を選択させ、選択された録画番組の録画番組データ６１をＨＤＤ６０から読み出すとともに、該選択された録画番組の種類に対応する再生速度データ４４をＨＤＤ６０又はＲＯＭ４０から読み出す。そして、再生アドレスに番組の先頭位置を示す値を設定するとともに、再生速度に所定の初期速度を設定して、再生のための初期設定を行う（ステップＳ５３）。
【００５８】
続いて、ＣＰＵ３０は、読み出した録画番組データ６１に基づいて番組の再生を開始するとともに、再生フラグを「１」に設定する（ステップＳ５４）。即ち、読み出した録画番組データ６１に含まれる音声データ６３に基づく音声信号を音声出力部２４に出力して該当するテレビ音声の出力を開始させるとともに、映像データ６２に基づく映像信号を映像表示部２２に出力して該当するテレビ映像の表示を開始させる。その後、再生処理を終了して図５のステップＳ７に戻る。
【００５９】
一方、ステップＳ５１において、再生フラグが「１」に設定されているならば（ステップＳ５１：ＹＥＳ）、ＣＰＵ３０は、録画番組を再生中であると判断し、続いて、停止スイッチがＯＮされる等して再生停止が指示されたかを判定する（ステップＳ５５）。そして、再生停止が指示されたならば（ステップＳ５５：ＹＥＳ）、再生中の録画番組の再生を停止し、再生フラグを「０」に設定する（ステップＳ５６）。その後、再生処理を終了して図５のステップＳ７に戻る。
【００６０】
また、再生停止が指示されていないならば（ステップＳ５５：ＮＯ）、ＣＰＵ３０は、再生進行処理を行って、設定されている再生速度での再生を継続させるとともに、再生速度に従って再生アドレスを更新する（ステップＳ５７）。
【００６１】
次いで、ＣＰＵ３０は、読み出した再生速度データ４４に格納されている先頭のキーワードを調査対象のキーワード（調査キーワード）とする（ステップＳ５８）。そして、読み出した録画番組データ６１に含まれる内容データ６４を参照し、再生アドレスが示す現在の再生位置が、この調査キーワードに対応する速度適用範囲内且つ速度適用時間内であるか否かを判定する（ステップＳ５９）。
【００６２】
具体的には、例えば図４に示した再生速度データ４４において、調査キーワードを「シュート」とした場合には、図７（ａ）に示すように、キーワード「シュート」を含むシーンの位置を中心とする前後５分間の範囲が、該キーワード「シュート」に対応する速度適用範囲及び速度適用時間を満たす範囲となる。従って、内容データ６４において、現在の再生位置から前後５分の範囲内にキーワード「シュート」を含むシーンがあれば、調査キーワードである「シュート」に対応する速度適用範囲内且つ速度適用時間内であると判定できる。
【００６３】
また、調査キーワードを「キックオフ」とした場合、同図（ｂ）に示すように、キーワード「キックオフ」を含むシーンの位置より前（時間が早い）全部が、該キーワード「キックオフ」に対応する速度適用範囲及び速度適用時間を満たす範囲となる。従って、内容データ６４において、現在の再生位置の後（時間が遅い）にキーワード「キックオフ」を含むシーンがあれば、調査キーワードである「キックオフ」に対応する速度適用範囲内且つ速度適用時間内であると判定できる。
【００６４】
そして、現在の再生位置が調査キーワードの速度適用範囲内且つ速度適用時間内であると判定したならば（ステップＳ５９：ＹＥＳ）、ＣＰＵ３０は、再生速度を、再生速度データ４４において調査キーワードに対応付けられている再生速度に変更する（ステップＳ６０）。その後、再生処理を終了して図５のステップＳ７に戻る。
【００６５】
一方、速度適用範囲内且つ速度適用時間内でなければ（ステップＳ５９：ＮＯ）、ＣＰＵ３０は、調査キーワードが再生速度データ４４における最後尾のキーワード（最終キーワード）であるかを判定し、最終キーワードであるならば（ステップＳ６１：ＹＥＳ）、再生処理を終了して図５のステップＳ７に戻る。
【００６６】
一方、調査キーワードが最終キーワードでないならば（ステップＳ６１：ＮＯ）、再生速度データ４４において、現在の調査キーワードの次に格納されているキーワードを新たな調査キーワードとし（ステップＳ６２）、その後、ステップＳ５９に戻り、同様の処理を繰り返し実行する。
【００６７】
再生処理を終了すると、ＣＰＵ３０は、次いで、再生速度データ変更処理を実行する（ステップＳ７）。図８は、再生速度データ変更処理の流れを示すフローチャートである。この再生速度データ変更処理は、ＣＰＵ３０がＲＯＭ４０の再生速度データ変更プログラム４３を実行することで実現される。
【００６８】
図８によれば、再生速度データ変更処理において、ＣＰＵ３０は、先ず、設定スイッチがＯＮされる等して再生速度データ４４の変更が指示されたかを判定する（ステップＳ７１）。
【００６９】
再生速度データ４４の変更が指示されないと判定したならば（ステップＳ７１：ＮＯ）、ステップＳ７５に移行する。一方、再生速度データ４４の変更が指示されたと判定したならば（ステップＳ７１：ＹＥＳ）、ＣＰＵ３０は、所定の選択画面を映像表示部２２に表示させ、視聴者に、再生速度データ４４を変更する番組の種類を選択させる（ステップＳ７２）。そして、ＲＯＭ４０又はＨＤＤ６０から、選択された種類の再生速度データ４４を読み出し、選択された番組の種類の再生速度データ４４の内容を変更するための再生速度データ変更画面を映像表示部２２に表示させる。
【００７０】
図９は、再生速度データ変更画面の一例を示す図であり、番組の種類が“サッカー中継”である場合の画面例を示している。同図によれば、再生速度データ変更画面には、変更対象の再生速度データ４４に格納されているキーワードＥ１毎に、再生速度Ｅ２、速度適用範囲Ｅ３及び速度適用時間Ｅ４のそれぞれについて複数の選択肢が表示されているとともに、該選択肢の何れか１つが反転表示されて選択状態となっている。該画面の表示直後では、現在の再生速度データ４４の設定内容に該当する選択肢が選択状態とされる。
【００７１】
再生速度データ変更画面において、視聴者は、設定内容を変更したいキーワードＥ１を選択し（ステップＳ７３）、次いで、該選択したキーワードＥ１の再生速度Ｅ２、速度適用範囲Ｅ３及び速度適用時間Ｅ４のそれぞれについて、選択肢の内から所望のものを選択する（ステップＳ７４）。
【００７２】
続いて、ＣＰＵ３０は、保存スイッチがＯＮされる等して選択内容の保存が指示されたかを判定し、保存が指示されないと判定したならば（ステップＳ７５：ＮＯ）、ＣＰＵ３０は、再生速度データ変更画面の表示を終了した後、再生速度データ変更処理を終了して図５のステップＳ９に戻る。一方、保存が指示されたならば（ステップＳ７５：ＹＥＳ）、再生速度データ設定画面における現在の選択内容に従って内容を変更した新たな再生速度データ４４を生成し、ＨＤＤ６０に蓄積記憶させる（ステップＳ７６）。そして、再生速度データ変更画面の表示を終了した後、再生速度データ変更処理を終了して図５のステップＳ９に戻る。
【００７３】
再生速度データ変更処理を終了すると、ＣＰＵ３０は、続いて、録画再生機１の動作にかかる他の処理を実行する（ステップＳ９）。その後、ステップＳ３に移行し、電源スイッチがＯＦＦされる等して電源が遮断されるまでの間、同様の処理を繰り返し実行する。
【００７４】
［作用・効果］
以上のように、本実施形態によれば、録画再生機１では、地上波デジタルテレビ放送の番組を録画する際、この地上波デジタルテレビ放送に含まれる映像信号に基づく映像データ６２、音声信号に基づく音声データ６３とともに、データ信号に基づいて作成した内容データ６４を１つの録画番組データ６１としてＨＤＤ６０に記憶（記録）する。内容データ６４とは、番組先頭からの放送経過時間とシーン内容とを対応付けたデータである。そして、録画番組の再生時には、ＨＤＤ６０に記憶されている録画番組データ６１に含まれる映像データ６２に基づく映像を映像表示部２２に表示させ、音声データ６３に基づく音声を音声出力部２４から出力させるとともに、内容データ６４に基づき、再生する録画番組の種類に該当する再生速度データ４４に従って再生速度を制御する。即ち、現在の再生位置が、再生速度データ４４に格納されている何れかのキーワードに対応する速度適用範囲内且つ速度適用時間内であれば、該キーワードに対応する再生速度で再生する。
【００７５】
従って、録画番組を再生する際に、該番組の内容の変化に応じて再生速度を変更させることが可能となる。また、再生速度データ４４を番組の種類毎に用意するとともに、各再生速度データ４４において、該番組に関連するキーワードを格納し、これらのキーワードには、その重要度（視聴者がより視聴したいと思うであろう度合）が高いほど遅い再生速度を設定しているので、番組中の各シーンでの重要度に合わせた適切な再生速度の制御が可能となる。
【００７６】
［変形例］
尚、本発明の適用は、上述した実施形態に限定されることなく、本発明の趣旨を逸脱しない範囲で適宜変更可能である。
【００７７】
（Ａ）キーワードの調査順
例えば、上述した実施形態では、再生処理において、再生速度を変更するための調査キーワードを、再生速度データ４４に格納されている先頭のキーワードから順に選択することとしたが、キーワードに優先順位を設定しておき、この優先順位に従って選択することとしても良い。
【００７８】
（Ｂ）再生速度データの変更。
また、上述実施の形態では、再生速度データ変更処理において、既にＲＯＭ４０又はＨＤＤ６０に記憶されている再生速度データ４４に格納されている各キーワード４４ａに対応付ける再生速度４４ｂ、速度適用範囲４４ｃ及び速度適用時間４４ｄを変更することとしたが、更に、新たなキーワード４４ａを追加して変更することとしても良い。
【００７９】
（Ｃ）再生速度データ４４を外部から取得
また、外部インターフェース部７２を通じて録画再生機１の外部から取得した再生速度データ４４に従って再生速度の制御を行うこととしても良い。
【００８０】
具体的には、外部インターフェース部７２として通信装置を備え、この通信装置を介して他の録画再生機１とデータ通信可能に接続する。そして、この他の録画再生機１から受信した再生速度データ４４をＨＤＤ６０に蓄積記憶し、これに従って再生速度の制御を行うこととしても良い。また、外部インターフェース部７２として、録画再生機１に着脱自在な情報記憶媒体に記憶された情報（データ）を読み取る読取装置を備え、この読取装置で読み出した情報記憶媒体に記憶された再生速度データ４４に従って再生速度の制御を行っても良い。
【００８１】
（Ｄ）受信するデジタルテレビ放送
更に、上述した実施形態では、録画再生機１は地上波デジタルテレビ放送を受信するとしたが、他のデジタル放送、例えばＣＳデジタル放送やＢＳデジタル放送であっても同様に適用可能なのは勿論である。
【図面の簡単な説明】
【００８２】
【図１】本発明を適用した録画再生機の回路構成を示すブロック図。
【図２】地上波デジタルテレビ放送の放送波の概要図。
【図３】内容データのデータ構成例。
【図４】再生速度データのデータ構成例。
【図５】メイン処理となる録画／再生処理の流れを示すフローチャート。
【図６】再生処理の流れを示すフローチャート。
【図７】速度適用範囲内且つ速度適用時間内であるかの判定を説明するための図。
【図８】再生速度データ変更処理の流れを示すフローチャート。
【図９】再生速度データ変更画面の一例。
【符号の説明】
【００８３】
１  録画再生機
１０  テレビ部
１１  アンテナ
１２  チューナ部
１３  ＯＦＤＭ復調部
１４  デコーダ部
２２  映像表示部
２４  音声出力部
３０  ＣＰＵ
４０  ＲＯＭ
４１  録画／再生プログラム
４２  再生プログラム
４３  再生速度データ変更処理
４４（４４−１）  再生速度データ
５０  ＲＡＭ
５１  再生フラグ格納領域
５２  再生アドレス格納領域
５３  再生速度格納領域
５４  再生速度データ格納領域
６０  ＨＤＤ
６１  録画番組データ
６２  映像データ
６３  音声データ
６４  内容データ
４４（４４−２）  再生速度データ
７２  外部インターフェース部
７４  ユーザインターフェース部
【図１】
2005244404.tif 000003
【図２】
2005244404.tif 000004
【図３】
2005244404.tif 000005
【図４】
2005244404.tif 000006
【図５】
2005244404.tif 000007
【図６】
2005244404.tif 000008
【図７】
2005244404.tif 000009
【図８】
2005244404.tif 000010
【図９】
2005244404.tif 000011